【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
ワイヤレスドッキー（ＷＤ）によって、ワイヤレスドッキングセンター（ＷＤＣ）と関連付けられる１つまたは複数の周辺機能（ＰＦ）を決定することと、
前記ＷＤと前記ＷＤＣとの間の直接のワイヤレス接続を介してドッキングセッションを確立することと、
前記ＷＤによって、前記ＷＤＣと関連付けられる前記１つまたは複数のＰＦの少なくとも１つのＰＦを選択することと、選択することは、前記ＷＤによって、および前記ＷＤＣに、前記ＷＤがメッセージにおいて前記少なくとも１つのＰＦを個別に特定することによって、または前記メッセージにおいて前記少なくとも１つのＰＦを個別に特定することなく前記少なくとも１つのＰＦを含むＰＦのデフォルトのセットを選択することによって、ＰＦを選択しているかどうかを示す前記メッセージを送ることを含む、
前記ＷＤによって、前記ＷＤＣと関連付けられる前記１つまたは複数のＰＦの前記少なくとも１つのＰＦにアクセスすることと、前記ＷＤＣと関連付けられる前記１つまたは複数のＰＦの前記少なくとも１つのＰＦにアクセスすることは、前記ＷＤＣと関連付けられる前記１つまたは複数のＰＦの前記少なくとも１つのＰＦのそれぞれのＰＦに対して、前記ＷＤの対応するＰＦサービスと前記ＷＤＣの対応するＰＦサービスとの間のそれぞれのセッションを確立することを備える、
を備える、ワイヤレスドッキングのための方法。
【請求項２】
前記ＷＤＣと関連付けられる前記１つまたは複数のＰＦを前記決定することは、前記ＷＤのドッキングサービスによって、前記ＷＤＣと関連付けられる前記１つまたは複数のＰＦを決定することを備え、
前記ＷＤと前記ＷＤＣとの間の前記直接のワイヤレス接続を介して前記ドッキングセッションを確立することは、前記ＷＤの前記ドッキングサービスによって、前記ＷＤと前記ＷＤＣとの間の前記直接のワイヤレス接続を介して前記ドッキングセッションを確立することを備え、
前記ＷＤによって、前記ＷＤＣと関連付けられる前記１つまたは複数のＰＦの前記少なくとも１つのＰＦを選択することは、前記ＷＤの前記ドッキングサービスによって、前記ＷＤＣと関連付けられる前記１つまたは複数のＰＦの前記少なくとも１つのＰＦを選択することを備え、
前記ＷＤによって、前記ＷＤＣと関連付けられる前記１つまたは複数のＰＦの前記少なくとも１つのＰＦにアクセスすることは、前記ＷＤの前記ドッキングサービスによって、前記ＷＤＣと関連付けられる前記１つまたは複数のＰＦの前記少なくとも１つのＰＦにアクセスすることを備える、
請求項１に記載の方法。
【請求項３】
前記ＷＤによって、前記ＷＤＣと関連付けられる前記１つまたは複数のＰＦを決定することは、
前記ＷＤによって、前記ＷＤＣと関連付けられる前記１つまたは複数のＰＦに関する情報のために前記ＷＤＣとのドッキング事前関連発見を実行することを備える、
請求項１に記載の方法。
【請求項４】
前記ＷＤによって、前記ＷＤＣと関連付けられる前記１つまたは複数のＰＦを決定することは、
前記ＷＤによって、および前記ＷＤＣから、前記ＷＤＣと関連付けられる前記１つまたは複数のＰＦのインジケーションを受信することを備える、
請求項３に記載の方法。
【請求項５】
前記ＷＤＣと関連付けられる前記１つまたは複数のＰＦの前記インジケーションを受信することは、前記ＷＤＣの１つまたは複数の特性を示すメッセージを前記ＷＤＣから受信することを備える、
請求項４に記載の方法。
【請求項６】
前記メッセージによって示される前記１つまたは複数の特性は、
デバイスタイプと、
デバイス名と、
デバイスの利用可能性と、
前記ＷＤＣと関連付けられる前記１つまたは複数のＰＦの前記インジケーションと、
１つまたは複数のドッキング環境タイプと
を含む、請求項５に記載の方法。
【請求項７】
前記メッセージは、ｐｒｅａｓｓｏｃｉａｔｉｏｎＳｅｒｖｉｃｅＤｉｓｃｏｖｅｒｙ要素を含むＸＭＬデータのＵＴＦ−８テキスト文字列を備える、
請求項５に記載の方法。
【請求項８】
前記ＷＤによって、および前記ＷＤＣに、前記ＷＤＣと関連付けられる前記１つまたは複数のＰＦに関する情報に対する要求を送ることをさらに備える、
請求項４に記載の方法。
【請求項９】
前記ＷＤによって、および前記ＷＤＣに、前記ＷＤＣと関連付けられる前記１つまたは複数のＰＦに関する前記情報に対する前記要求を送ることは、
前記ＷＤによって、サービス名値、正確な検索値、ＭＡＣアドレス値、およびサービス情報要求値というパラメータに基づいて、ＳｅｅｋＳｅｒｖｉｃｅ方法を実行することを備える、
請求項８に記載の方法。
【請求項１０】
前記サービス名値がorg.wi-fi.wfds.docking.wdcを備え、前記正確な検索値が真に設定される、
請求項９に記載の方法。
【請求項１１】
前記ＷＤＣと関連付けられる前記１つまたは複数のＰＦの前記インジケーションを受信することは、前記ＷＤＣの１つまたは複数の特性を示すメッセージを前記ＷＤＣから受信することを備え、前記サービス情報要求値は、前記ＷＤＣの前記１つまたは複数の特性を示す前記ＷＤＣから受信された前記メッセージに含まれるテキストの文字列のサブセットを含む、
請求項９に記載の方法。
【請求項１２】
前記ＷＤＣと関連付けられる前記１つまたは複数のＰＦの前記インジケーションが前記ＷＤによって探されている１つまたは複数のＰＦを示すと決定したことに応答して、前記ドッキングセッションを確立することをさらに備える、
請求項４に記載の方法。
【請求項１３】
前記ＷＤによって、およびユーザ入力に基づいて、前記ＷＤによって探されている前記１つまたは複数のＰＦを決定することをさらに備える、
請求項１２に記載の方法。
【請求項１４】
前記ドッキングセッションを確立することは、
前記ＷＤによって、前記ＷＤと前記ＷＤＣとの間のドッキング接続セットアップ交換を実行することと、
前記ＷＤによって、前記ＷＤと前記ＷＤＣとの間のドッキングＡＳＰ（アプリケーションサービスプラットフォーム）セッションセットアップを実行することと
を備える、請求項１に記載の方法。
【請求項１５】
前記ドッキングセッションを確立することは、
前記ＷＤとＷＤＣの両方を含むピアツーピア（Ｐ２Ｐ）グループを形成することを備える、
請求項１に記載の方法。
【請求項１６】
前記ドッキングセッションを確立することは、
前記ＷＤによって、サービスＭＡＣ値、広告識別値、セッション情報値、およびネットワークルール値というパラメータに基づいて、ＣｏｎｎｅｃｔＳｅｓｓｉｏｎｓ方法を実行することを備え、前記サービスＭＡＣ値は、前記ＷＤＣのＭＡＣアドレスを示し、前記広告識別値は、前記ＷＤＣのドッキングサービスを示す、
請求項１に記載の方法。
【請求項１７】
前記ＷＤによって、前記ＷＤＣと関連付けられる前記１つまたは複数のＰＦの前記少なくとも１つのＰＦを選択することは、
前記ＷＤによって、および前記ＷＤＣと、ドッキング構成および制御プロトコル通信を交換することを備える、
請求項１に記載の方法。
【請求項１８】
前記ＷＤによって、および前記ドッキングセッションの動作の間に、前記ＷＤＣと関連付けられる前記１つまたは複数のＰＦに関する情報について前記ＷＤＣに問い合わせることをさらに備える、
請求項１に記載の方法。
【請求項１９】
前記ＷＤが前記メッセージにおいて前記少なくとも１つのＰＦを個別に特定することによって、または前記少なくとも１つのＰＦを個別に特定することなく前記少なくとも１つのＰＦを含むＰＦのデフォルトのセットを選択することによって、ＰＦを選択しているかどうかを示す前記メッセージは、前記ＷＤＣと関連付けられる前記１つまたは複数のＰＦの１つまたは複数の探されているＰＦにアクセスするための要求をさらに含み、前記ＷＤによって、前記ＷＤＣと関連付けられる前記１つまたは複数のＰＦの前記少なくとも１つのＰＦを選択することは、
前記ＷＤによって、および前記ＷＤＣから、前記ＷＤが前記１つまたは複数の探されているＰＦにアクセスするための前記要求を前記ＷＤＣが受け入れるかどうかを示すメッセージを受信することと、
前記ＷＤＣが前記要求を受け入れると決定したことに応答して、前記ＷＤによって、前記１つまたは複数の探されているＰＦにアクセスすることとをさらに備え、前記１つまたは複数の探されているＰＦが前記少なくとも１つのＰＦを含む、
請求項１に記載の方法。
【請求項２０】
前記要求は、前記１つまたは複数の探されているＰＦを個別に特定する、
請求項１９に記載の方法。
【請求項２１】
前記ＷＤＣと関連付けられる前記１つまたは複数のＰＦの、ＰＦのデフォルトセットは、前記１つまたは複数の探されているＰＦを含み、前記要求は、前記１つまたは複数の探されているＰＦを個々に特定しない、
請求項１９に記載の方法。
【請求項２２】
前記ＷＤＣと関連付けられる前記１つまたは複数のＰＦの前記少なくとも１つのＰＦの前記それぞれのＰＦに対して、前記ＷＤの前記対応するＰＦサービスと前記ＷＤＣの前記対応するＰＦサービスとの間に前記それぞれのセッションを確立することは、
前記ＷＤによって、および前記ＷＤＣに、前記それぞれのＰＦに対応する広告識別値を含むメッセージを送ることを備える、
請求項１に記載の方法。
【請求項２３】
前記ＷＤの前記対応するＰＦサービスによって、前記ＷＤＣの前記対応するＰＦサービスに、および前記それぞれのセッションを介して出力データを送ることと、
前記ＷＤの前記対応するＰＦサービスによって、前記ＷＤＣの前記対応するＰＦサービスから、および前記それぞれのセッションを介して入力データを受信することと
の１つまたは複数をさらに備える、請求項１に記載の方法。
【請求項２４】
前記ＷＤによって、および前記ＷＤＣから、および第１の時間において、前記ＷＤＣと関連付けられる前記１つまたは複数のＰＦに関する情報を含むメッセージを受信することと、
前記ＷＤによって、および前記ＷＤＣから、および第２のより後の時間において、前記ＷＤＣと関連付けられる前記１つまたは複数のＰＦに関する前記情報が変化したことを示す第２のメッセージを受信することと
をさらに備える、請求項１に記載の方法。
【請求項２５】
前記ＷＤによって、前記ＷＤＣと関連付けられる前記１つまたは複数のＰＦの前記少なくとも１つのＰＦを選択解除することをさらに備え、ここにおいて、選択解除することが、
前記ＷＤによって、および前記ＷＤＣに、前記ＷＤが前記ＷＤＣと関連付けられる前記１つまたは複数のＰＦの前記少なくとも１つのＰＦを選択解除しているという通知を送ることと、
前記ＷＤの対応するＰＦサービスと前記ＷＤＣの対応するＰＦサービスとの間の対応するセッションを閉じることと
を備える、請求項１に記載の方法。
【請求項２６】
ワイヤレスドッキー（ＷＤ）であって、
メモリと、
１つまたは複数のプロセッサと、
少なくとも１つのモジュールと
を備え、前記少なくとも１つのモジュールは、
ワイヤレスドッキングセンター（ＷＤＣ）と関連付けられる１つまたは複数の周辺機能（ＰＦ）を決定することと、
前記ＷＤと前記ＷＤＣとの間の直接のワイヤレス接続を介してドッキングセッションを確立することと、
前記ＷＤＣと関連付けられる前記１つまたは複数のＰＦの少なくとも１つのＰＦを選択すること、前記少なくとも１つのＰＦを選択するために、前記少なくとも１つのモジュールが、前記ＷＤＣに、前記ＷＤがメッセージにおいて前記少なくとも１つのＰＦを個別に特定することによって、または前記メッセージにおいて前記少なくとも１つのＰＦを個別に特定することなく前記少なくとも１つのＰＦを含むＰＦのデフォルトのセットを選択することによって、ＰＦを選択しているかどうかを示す前記メッセージを送るように前記１つまたは複数のプロセッサによって実行可能である、と、
前記ＷＤＣと関連付けられる前記１つまたは複数のＰＦの前記少なくとも１つのＰＦにアクセスすること、前記少なくとも１つのＰＦにアクセスすることは、前記少なくとも１つのモジュールが、前記ＷＤＣと関連付けられる前記１つまたは複数のＰＦの前記少なくとも１つのＰＦのそれぞれのＰＦに対して、前記ＷＤの対応するＰＦサービスと前記ＷＤＣの対応するＰＦサービスとの間のそれぞれのセッションを確立するように前記１つまたは複数のプロセッサによって実行可能である、と
を行うように１つまたは複数のプロセッサによって実行可能である、ＷＤ。
【請求項２７】
前記少なくとも１つのモジュールは、
前記ＷＤＣと関連付けられる前記１つまたは複数のＰＦを決定することと、
前記ＷＤと前記ＷＤＣとの間の前記直接のワイヤレス接続を介して前記ドッキングセッションを確立することと、
前記ＷＤＣと関連付けられる前記１つまたは複数のＰＦの前記少なくとも１つのＰＦを選択することと、
前記ＷＤＣと関連付けられる前記１つまたは複数のＰＦの前記少なくとも１つのＰＦにアクセスすることと
を行うように前記１つまたは複数のプロセッサによって実行可能なドッキングサービスを含む、
請求項２６に記載のＷＤ。
【請求項２８】
前記少なくとも１つのモジュールは、少なくとも、
前記ＷＤＣと関連付けられる前記１つまたは複数のＰＦに関する情報のために前記ＷＤＣとのドッキング事前関連発見を実行すること
によって、前記ＷＤＣと関連付けられる前記１つまたは複数のＰＦを決定することを行うように前記１つまたは複数のプロセッサによって実行可能である、
請求項２６に記載のＷＤ。
【請求項２９】
前記少なくとも１つのモジュールは、少なくとも、
前記ＷＤＣから、前記ＷＤＣと関連付けられる前記１つまたは複数のＰＦのインジケーションを受信すること
によって、前記ＷＤＣと関連付けられる前記１つまたは複数のＰＦを決定することを行うように前記１つまたは複数のプロセッサによって実行可能である、
請求項２８に記載のＷＤ。
【請求項３０】
前記少なくとも１つのモジュールは、少なくとも、
前記ＷＤＣから、前記ＷＤＣの１つまたは複数の特性を示すメッセージを受信すること
によって、前記ＷＤＣと関連付けられる前記１つまたは複数のＰＦの前記インジケーションを受信することを行うように前記１つまたは複数のプロセッサによって実行可能である、
請求項２９に記載のＷＤ。
【請求項３１】
前記少なくとも１つのモジュールは、
前記ＷＤＣに、前記ＷＤＣと関連付けられる前記１つまたは複数のＰＦに関する情報に対する要求を送るように前記１つまたは複数のプロセッサによってさらに実行可能である、
請求項２９に記載のＷＤ。
【請求項３２】
前記少なくとも１つのモジュールは、少なくとも、
サービス名値、正確な検索値、ＭＡＣアドレス値、およびサービス情報要求値というパラメータに基づいて、ＳｅｅｋＳｅｒｖｉｃｅ方法を実行すること
によって、前記ＷＤＣに、前記ＷＤＣと関連付けられる前記１つまたは複数のＰＦに関する前記情報に対する前記要求を送ることを行うように前記１つまたは複数のプロセッサによって実行可能である、
請求項３１に記載のＷＤ。
【請求項３３】
前記少なくとも１つのモジュールは、少なくとも、
前記ＷＤＣの１つまたは複数の特性を示すメッセージを前記ＷＤＣから受信すること
によって、前記ＷＤＣと関連付けられる前記１つまたは複数のＰＦの前記インジケーションを受信することを行うように前記１つまたは複数のプロセッサによって実行可能であり、
前記サービス情報要求値は、前記ＷＤＣの前記１つまたは複数の特性を示す前記ＷＤＣから受信された前記メッセージに含まれるテキストの文字列のサブセットを含む、
請求項３２に記載のＷＤ。
【請求項３４】
前記ＷＤＣと関連付けられる前記１つまたは複数のＰＦの前記インジケーションが前記ＷＤによって探されている１つまたは複数のＰＦを示すと決定したことに応答して、前記少なくとも１つのモジュールは、前記ドッキングセッションを確立することを行うように前記１つまたは複数のプロセッサによって実行可能である、
請求項２９に記載のＷＤ。
【請求項３５】
前記少なくとも１つのモジュールは、少なくとも、
前記ＷＤと前記ＷＤＣとの間のドッキング接続セットアップ交換を実行することと、
前記ＷＤと前記ＷＤＣとの間のドッキングＡＳＰ（アプリケーションサービスプラットフォーム）セッションセットアップを実行することと
によって、前記ドッキングセッションを確立することを行うように前記１つまたは複数のプロセッサによって実行可能である、
請求項２６に記載のＷＤ。
【請求項３６】
前記少なくとも１つのモジュールは、少なくとも、
前記ＷＤとＷＤＣの両方を含むピアツーピア（Ｐ２Ｐ）グループを形成すること
によって、前記ドッキングセッションを確立することを行うように前記１つまたは複数のプロセッサによって実行可能である、
請求項２６に記載のＷＤ。
【請求項３７】
前記少なくとも１つのモジュールは、少なくとも、
サービスＭＡＣ値、広告識別値、セッション情報値、およびネットワークルール値というパラメータに基づいて、ＣｏｎｎｅｃｔＳｅｓｓｉｏｎｓ方法を実行すること
によって、前記ドッキングセッションを確立することを行うように前記１つまたは複数のプロセッサによって実行可能であり、前記サービスＭＡＣ値が前記ＷＤＣのＭＡＣアドレスを示し、前記広告識別値が前記ＷＤＣのドッキングサービスを示す、
請求項２６に記載のＷＤ。
【請求項３８】
前記少なくとも１つのモジュールは、少なくとも、
前記ＷＤＣと、ドッキング構成および制御プロトコル通信を交換すること
によって、前記ＷＤＣと関連付けられる前記１つまたは複数のＰＦの前記少なくとも１つのＰＦを選択することを行うように前記１つまたは複数のプロセッサによって実行可能である、
請求項２６に記載のＷＤ。
【請求項３９】
前記少なくとも１つのモジュールは、
前記ドッキングセッションの動作の間に、前記ＷＤＣと関連付けられる前記１つまたは複数のＰＦに関する情報について前記ＷＤＣに問い合わせることを行うように前記１つまたは複数のプロセッサによってさらに実行可能である、
請求項２６に記載のＷＤ。
【請求項４０】
前記ＷＤが前記メッセージにおいて前記少なくとも１つのＰＦを個別に特定することによって、または前記少なくとも１つのＰＦを個別に特定することなく前記少なくとも１つのＰＦを含むＰＦのデフォルトのセットを選択することによって、ＰＦを選択しているかどうかを示す前記メッセージは、前記ＷＤＣと関連付けられる前記１つまたは複数のＰＦの１つまたは複数の探されているＰＦにアクセスするための要求をさらに含み、前記少なくとも１つのモジュールは、少なくとも、
前記ＷＤＣから、前記ＷＤが前記１つまたは複数の探されているＰＦにアクセスするための前記要求を前記ＷＤＣが受け入れるかどうかを示すメッセージを受信することと、
前記ＷＤＣが前記要求を受け入れると決定したことに応答して、前記１つまたは複数の探されているＰＦにアクセスすることと
によって、前記ＷＤＣと関連付けられる前記１つまたは複数のＰＦの前記少なくとも１つのＰＦを選択することを行うように前記１つまたは複数のプロセッサによってさらに実行可能であり、前記１つまたは複数の探されているＰＦは、前記少なくとも１つのＰＦを含む、
請求項２６に記載のＷＤ。
【請求項４１】
前記要求は、前記１つまたは複数の探されているＰＦを個別に特定する、
請求項４０に記載のＷＤ。
【請求項４２】
前記ＷＤＣと関連付けられる前記１つまたは複数のＰＦの、ＰＦのデフォルトセットは、前記１つまたは複数の探されているＰＦを含み、前記要求は、前記１つまたは複数の探されているＰＦを個別に特定しない、
請求項４０に記載のＷＤ。
【請求項４３】
前記少なくとも１つのモジュールは、
前記ＷＤの前記対応するＰＦサービスによって、前記ＷＤＣの前記対応するＰＦサービスに、および前記それぞれのセッションを介して出力データを送ることと、
前記ＷＤの前記対応するＰＦサービスによって、前記ＷＤＣの前記対応するＰＦサービスから、および前記それぞれのセッションを介して入力データを受信することと
のうちの１つまたは複数を行うように前記１つまたは複数のプロセッサによってさらに実行可能である、
請求項２６に記載のＷＤ。
【請求項４４】
前記少なくとも１つのモジュールは、
前記ＷＤＣから、および第１の時間において、前記ＷＤＣと関連付けられる前記１つまたは複数のＰＦに関する情報を含むメッセージを受信することと、
前記ＷＤＣから、および第２のより後の時間において、前記ＷＤＣと関連付けられる前記１つまたは複数のＰＦに関する前記情報が変化したことを示す第２のメッセージを受信することと
を行うように前記１つまたは複数のプロセッサによってさらに実行可能である、
請求項２６に記載のＷＤ。
【請求項４５】
前記少なくとも１つのモジュールは、
前記ＷＤＣと関連付けられる前記１つまたは複数のＰＦの前記少なくとも１つのＰＦを選択解除することを行うように前記１つまたは複数のプロセッサによってさらに実行可能であり、前記少なくとも１つのモジュールは、少なくとも、
前記ＷＤＣに、前記ＷＤが前記ＷＤＣと関連付けられる前記１つまたは複数のＰＦの前記少なくとも１つのＰＦを選択解除しているという通知を送ることと、
前記ＷＤの対応するＰＦサービスと前記ＷＤＣの対応するＰＦサービスとの間の対応するセッションを閉じることと
によって、前記少なくとも１つのＰＦを選択解除することを行うように前記１つまたは複数のプロセッサによって実行可能である、
請求項２６に記載のＷＤ。
【請求項４６】
ワイヤレスドッキー（ＷＤ）であって、
ワイヤレスドッキングセンター（ＷＤＣ）と関連付けられる１つまたは複数の周辺機能（ＰＦ）を決定するための手段と、
前記ＷＤと前記ＷＤＣとの間の直接のワイヤレス接続を介してドッキングセッションを確立するための手段と、
前記ＷＤＣと関連付けられる前記１つまたは複数のＰＦの少なくとも１つのＰＦを選択するための手段と、前記選択するための手段は、前記ＷＤＣに、前記ＷＤがメッセージにおいて前記少なくとも１つのＰＦを個別に特定することによって、または前記メッセージにおいて前記少なくとも１つのＰＦを個別に特定することなく前記少なくとも１つのＰＦを含むＰＦのデフォルトのセットを選択することによって、ＰＦを選択しているかどうかを示す前記メッセージを送るための手段を含む、
前記ＷＤＣと関連付けられる前記１つまたは複数のＰＦの前記少なくとも１つのＰＦにアクセスするための手段と、前記少なくとも１つのＰＦにアクセスするための手段は、前記ＷＤＣと関連付けられる前記１つまたは複数のＰＦの前記少なくとも１つのＰＦのそれぞれのＰＦに対して、前記ＷＤの対応するＰＦサービスと前記ＷＤＣの対応するＰＦサービスとの間のそれぞれのセッションを確立するための手段を備える、
を備える、ＷＤ。
【請求項４７】
命令が実行されると、ワイヤレスドッキー（ＷＤ）の１つまたは複数のプロセッサに、
ワイヤレスドッキングセンター（ＷＤＣ）と関連付けられる１つまたは複数の周辺機能（ＰＦ）を決定することと、
前記ＷＤと前記ＷＤＣとの間の直接のワイヤレス接続を介してドッキングセッションを確立することと、
前記ＷＤＣと関連付けられる前記１つまたは複数のＰＦの少なくとも１つのＰＦを選択することと、前記１つまたは複数のプロセッサに前記少なくとも１つのＰＦを選択することを行わせる前記命令は、前記１つまたは複数のプロセッサに、前記ＷＤＣに、前記ＷＤがメッセージにおいて前記少なくとも１つのＰＦを個別に特定することによって、または前記メッセージにおいて前記少なくとも１つのＰＦを個別に特定することなく前記少なくとも１つのＰＦを含むＰＦのデフォルトのセットを選択することによって、ＰＦを選択しているかどうかを示す前記メッセージを送ることを行わせる命令を含む、
前記ＷＤＣと関連付けられる前記１つまたは複数のＰＦの前記少なくとも１つのＰＦにアクセスすることと、前記１つまたは複数のプロセッサに前記少なくとも１つのＰＦにアクセスすることを行わせる前記命令は、前記１つまたは複数のプロセッサに、前記ＷＤＣと関連付けられる前記１つまたは複数のＰＦの前記少なくとも１つのＰＦのそれぞれのＰＦに対して、前記ＷＤの対応するＰＦサービスと前記ＷＤＣの対応するＰＦサービスとの間のそれぞれのセッションを確立することを行わせる命令を含む、
を行わせる、前記命令を記憶する、非一時的コンピュータ可読記憶媒体。
【請求項４８】
ワイヤレスドッキングセンター（ＷＤＣ）によって、前記ＷＤＣと関連付けられる１つまたは複数の周辺機能（ＰＦ）を決定することと、
前記ＷＤＣとワイヤレスドッキー（ＷＤ）との間の直接のワイヤレス接続を介してドッキングセッションを確立することと、
前記ＷＤＣと関連付けられる前記１つまたは複数のＰＦの少なくとも１つのＰＦを選択することと、選択することは、前記ＷＤＣによって、および前記ＷＤから、前記ＷＤがメッセージにおいて前記少なくとも１つのＰＦを個別に特定することによって、または前記メッセージにおいて前記少なくとも１つのＰＦを個別に特定することなく前記少なくとも１つのＰＦを含むＰＦのデフォルトのセットを選択することによって、ＰＦを選択しているかどうかを示す前記メッセージを受信することを含む、
前記ＷＤＣによって、および前記ＷＤに、前記ＷＤＣと関連付けられる前記１つまたは複数のＰＦの前記少なくとも１つのＰＦへのアクセスを提供することと、前記少なくとも１つのＰＦへのアクセスを提供することは、前記ＷＤＣと関連付けられる前記１つまたは複数のＰＦの前記少なくとも１つのＰＦのそれぞれのＰＦに対して、前記ＷＣＤの対応するＰＦサービスと前記ＷＤの対応するＰＦサービスとの間のそれぞれのセッションを確立することを備える、
を備える、ワイヤレスドッキングのための方法。
【請求項４９】
前記ＷＤＣと関連付けられる前記１つまたは複数のＰＦを前記決定することは、前記ＷＤＣのドッキングサービスによって、前記ＷＤＣと関連付けられる前記１つまたは複数のＰＦを決定することを備え、
前記ＷＤＣと前記ＷＤとの間の前記直接のワイヤレス接続を介して前記ドッキングセッションを確立することは、前記ＷＤＣの前記ドッキングサービスによって、前記ＷＤＣと前記ＷＤとの間の前記直接のワイヤレス接続を介して前記ドッキングセッションを確立することを備え、
前記ＷＤＣと関連付けられる前記１つまたは複数のＰＦの前記少なくとも１つのＰＦを選択することが、前記ＷＤＣの前記ドッキングサービスによって、前記ＷＤＣと関連付けられる前記１つまたは複数のＰＦの前記少なくとも１つのＰＦを選択することを備え、
前記ＷＤＣによって、前記ＷＤＣと関連付けられる前記１つまたは複数のＰＦの前記少なくとも１つのＰＦへのアクセスを提供することは、前記ＷＤＣの前記ドッキングサービスによって、前記ＷＤＣと関連付けられる前記１つまたは複数のＰＦの前記少なくとも１つのＰＦへのアクセスを提供することを備える、
請求項４８に記載の方法。
【請求項５０】
前記ＷＤＣによって、前記ＷＤＣと関連付けられる前記１つまたは複数のＰＦを決定することは、
前記ＷＤＣによって、前記ＷＤＣと関連付けられる前記１つまたは複数のＰＦに関する情報を提供するために前記ＷＤとのドッキング事前関連発見を実行することを備える、
請求項４８に記載の方法。
【請求項５１】
前記ＷＤＣによって、前記ＷＤＣと関連付けられる前記１つまたは複数のＰＦを決定することは、
前記ＷＤＣによって、および前記ＷＤに、前記ＷＤＣと関連付けられる前記１つまたは複数のＰＦのインジケーションを送ることを備える、
請求項５０に記載の方法。
【請求項５２】
前記ＷＤＣと関連付けられる前記１つまたは複数のＰＦの前記インジケーションを送ることは、前記ＷＤＣの１つまたは複数の特性を示すメッセージを前記ＷＤに送ることを備える、
請求項５１に記載の方法。
【請求項５３】
前記メッセージによって示される前記１つまたは複数の特性は、
デバイスタイプと、
デバイス名と、
デバイスの利用可能性と、
前記ＷＤＣと関連付けられる前記１つまたは複数のＰＦの前記インジケーションと、
１つまたは複数のドッキング環境タイプと
を含む、請求項５２に記載の方法。
【請求項５４】
前記メッセージは、ｐｒｅａｓｓｏｃｉａｔｉｏｎＳｅｒｖｉｃｅＤｉｓｃｏｖｅｒｙ要素を含むＸＭＬデータのＵＴＦ−８テキスト文字列を備える、
請求項５２に記載の方法。
【請求項５５】
前記ＷＤＣによって、および前記ＷＤから、前記ＷＤＣと関連付けられる前記１つまたは複数のＰＦに関する情報に対する要求を受信することをさらに備える、請求項５１に記載の方法。
【請求項５６】
前記ＷＤＣによって、および前記ＷＤから、前記ＷＤＣと関連付けられる前記１つまたは複数のＰＦに関する前記情報に対する前記要求を受信することは、
前記ＷＤによって、サービス名値、自動受入れ値、サービス情報値、およびサービスステータス値というパラメータの１つまたは複数に基づいて、ＡｄｖｅｒｔｉｓｅＳｅｒｖｉｃｅ方法を実行することを備え、前記サービス情報値は、前記ＷＤＣと関連付けられる前記１つまたは複数のＰＦの前記インジケーションを含む、
請求項５５に記載の方法。
【請求項５７】
前記サービス名値は、org.wi-fi.wfds.docking.wdcを備える、
請求項５６に記載の方法。
【請求項５８】
前記ＷＤＣと関連付けられる前記１つまたは複数のＰＦの前記インジケーションが前記ＷＤによって探されている１つまたは複数のＰＦを示すと決定したことに応答して、前記ドッキングセッションを確立することをさらに備える、
請求項５１に記載の方法。
【請求項５９】
前記ドッキングセッションを確立することは、
前記ＷＤＣによって、前記ＷＤＣと前記ＷＤとの間のドッキング接続セットアップ交換を実行することと、
前記ＷＤＣによって、前記ＷＤＣと前記ＷＤとの間のドッキングＡＳＰ（アプリケーションサービスプラットフォーム）セッションセットアップを実行することと
を備える、請求項４８に記載の方法。
【請求項６０】
前記ドッキングセッションを確立することは、
前記ＷＤＣとＷＤの両方を含むピアツーピア（Ｐ２Ｐ）グループを形成することを備える、
請求項４８に記載の方法。
【請求項６１】
前記ドッキングセッションを確立することは、
前記ＷＤＣによって、セッションＭＡＣ値、セッションＩＤ値、および確認済値というパラメータの１つまたは複数に基づいて、ＣｏｎｆｉｒｍＳｅｓｓｉｏｎ方法を実行することを備える、
請求項４８に記載の方法。
【請求項６２】
前記ＷＤＣと関連付けられる前記１つまたは複数のＰＦの前記少なくとも１つのＰＦを選択することは、
前記ＷＤＣによって、および前記ＷＤと、ドッキング構成および制御プロトコル通信を交換することを備える、
請求項４８に記載の方法。
【請求項６３】
前記ＷＤＣによって、および前記ＷＤから、および前記ドッキングセッションの動作の間に、前記ＷＤＣと関連付けられる前記１つまたは複数のＰＦに関する情報についての問合せを受信することをさらに備える、
請求項４８に記載の方法。
【請求項６４】
前記ＷＤが前記メッセージにおいて前記少なくとも１つのＰＦを個別に特定することによって、または前記少なくとも１つのＰＦを含むＰＦのデフォルトのセットを選択することによって、ＰＦを選択しているかどうかを示す前記メッセージは、前記ＷＤＣと関連付けられる前記１つまたは複数のＰＦの１つまたは複数の探されているＰＦにアクセスするための要求をさらに含み、前記ＷＤＣと関連付けられる前記１つまたは複数のＰＦの前記少なくとも１つのＰＦを選択することは、
前記ＷＤＣによって、前記ＷＤが前記１つまたは複数の探されているＰＦにアクセスするための前記要求を前記が受け入れるかどうかを決定することと、
前記ＷＤＣによって、および前記ＷＤに、前記ＷＤが前記１つまたは複数の探されているＰＦにアクセスするための前記要求を前記ＷＤＣが受け入れるかどうかを示すメッセージを送ることと、
前記ＷＤＣによって、前記要求を受け入れると決定したことに応答して、前記ＷＤＣによって、および前記ＷＤに、前記１つまたは複数の探されているＰＦへのアクセスを提供することとをさらに備え、前記１つまたは複数の探されているＰＦが前記少なくとも１つのＰＦを含む、
請求項４８に記載の方法。
【請求項６５】
前記要求は、前記１つまたは複数の探されているＰＦを個別に特定する、
請求項６４に記載の方法。
【請求項６６】
前記ＷＤＣと関連付けられる前記１つまたは複数のＰＦの、ＰＦのデフォルトセットが前記１つまたは複数の探されているＰＦを含み、前記要求が前記１つまたは複数の探されているＰＦを個別に特定しない、
請求項６４に記載の方法。
【請求項６７】
前記ＷＤＣと関連付けられる前記１つまたは複数のＰＦの前記少なくとも１つのＰＦの前記それぞれのＰＦに対して、前記ＷＤＣの前記対応するＰＦサービスと前記ＷＤの前記対応するＰＦサービスとの間に前記それぞれのセッションを確立することは、
前記ＷＤＣによって、および前記ＷＤから、前記それぞれのＰＦに対応する広告識別値を含むメッセージを受信することを備える、
請求項４８に記載の方法。
【請求項６８】
前記広告識別値は、前記ドッキングセッションの前記確立の前に前記ＷＤへ前記ＷＤＣによって送られる、
請求項６７に記載の方法。
【請求項６９】
前記ＷＤＣの前記対応するＰＦサービスによって、前記ＷＤの前記対応するＰＦサービスに、および前記それぞれのセッションを介して入力データを送ることと、
前記ＷＤＣの前記対応するＰＦサービスによって、前記ＷＤの前記対応するＰＦサービスから、および前記それぞれのセッションを介して出力データを受信することと
のうちの１つまたは複数をさらに備える、請求項４８に記載の方法。
【請求項７０】
前記ＷＤＣによって、および前記ＷＤに、および第１の時間において、前記ＷＤＣと関連付けられる前記１つまたは複数のＰＦに関する情報を含むメッセージを送ることと、
前記ＷＤＣによって、および前記ＷＤに、および第２のより後の時間において、前記ＷＤＣと関連付けられる前記１つまたは複数のＰＦに関する前記情報が変化したことを示す第２のメッセージを送ることと
をさらに備える、請求項４８に記載の方法。
【請求項７１】
前記ＷＤＣと関連付けられる前記１つまたは複数のＰＦの前記少なくとも１つのＰＦを選択解除することをさらに備え、選択解除することは、
前記ＷＤＣによって、および前記ＷＤから、前記ＷＤが前記ＷＤＣと関連付けられる前記１つまたは複数のＰＦの前記少なくとも１つのＰＦを選択解除しているという通知を受信することと、
前記ＷＤＣの対応するＰＦサービスと前記ＷＤの対応するＰＦサービスとの間の対応するセッションを閉じることと
を備える、請求項４８に記載の方法。
【請求項７２】
ワイヤレスドッキングセンター（ＷＤＣ）であって、
メモリと、
１つまたは複数のプロセッサと、
少なくとも１つのモジュールと
を備え、前記少なくとも１つのモジュールは、
前記ＷＤＣと関連付けられる１つまたは複数の周辺機能（ＰＦ）を決定することと、
前記ＷＤＣとワイヤレスドッキー（ＷＤ）との間の直接のワイヤレス接続を介してドッキングセッションを確立することと、
前記ＷＤＣと関連付けられる前記１つまたは複数のＰＦの少なくとも１つのＰＦを選択すること、前記少なくとも１つのＰＦを選択するために、前記少なくとも１つのモジュールが、前記ＷＤから、前記ＷＤがメッセージにおいて前記少なくとも１つのＰＦを個別に特定することによって、または前記メッセージにおいて前記少なくとも１つのＰＦを個別に特定することなく前記少なくとも１つのＰＦを含むＰＦのデフォルトのセットを選択することによって、ＰＦを選択しているかどうかを示す前記メッセージを受信するように前記１つまたは複数のプロセッサによって実行可能である、と、
前記ＷＤに、前記ＷＤＣと関連付けられる前記１つまたは複数のＰＦの前記少なくとも１つのＰＦへのアクセスを提供すること、前記少なくとも１つのＰＦへのアクセスを提供するために、前記少なくとも１つのモジュールが、前記ＷＤＣと関連付けられる前記１つまたは複数のＰＦの前記少なくとも１つのＰＦのそれぞれのＰＦに対して、前記ＷＣＤの対応するＰＦサービスと前記ＷＤの対応するＰＦサービスとの間のそれぞれのセッションを確立するように前記１つまたは複数のプロセッサによって実行可能である、と
を行うように、前記１つまたは複数のプロセッサによって実行可能である、ＷＤＣ。
【請求項７３】
前記少なくとも１つのモジュールは、
前記ＷＤＣと関連付けられる前記１つまたは複数のＰＦを決定することと、
前記ＷＤＣと前記ＷＤとの間の前記直接のワイヤレス接続を介して前記ドッキングセッションを確立することと、
前記ＷＤＣと関連付けられる前記１つまたは複数のＰＦの前記少なくとも１つのＰＦを選択することと、
前記ＷＤに、前記ＷＤＣと関連付けられる前記１つまたは複数のＰＦの前記少なくとも１つのＰＦへの前記アクセスを提供することと
を行うように、前記１つまたは複数のプロセッサによって実行可能なドッキングサービスを含む、
請求項７２に記載のＷＤＣ。
【請求項７４】
前記少なくとも１つのモジュールは、少なくとも、
前記ＷＤＣと関連付けられる前記１つまたは複数のＰＦに関する情報を提供するために前記ＷＤとのドッキング事前関連発見を実行すること
によって、前記ＷＤＣと関連付けられる前記１つまたは複数のＰＦを決定することを行うように前記１つまたは複数のプロセッサによって実行可能である、
請求項７２に記載のＷＤＣ。
【請求項７５】
前記少なくとも１つのモジュールは、少なくとも、
前記ＷＤに、前記ＷＤＣと関連付けられる前記１つまたは複数のＰＦのインジケーションを送ること
によって、前記ＷＤＣと関連付けられる前記１つまたは複数のＰＦを決定することを行うように前記１つまたは複数のプロセッサによって実行可能である、
請求項７４に記載のＷＤＣ。
【請求項７６】
前記少なくとも１つのモジュールは、少なくとも、前記ＷＤＣの１つまたは複数の特性を示すメッセージを前記ＷＤに送ることによって、前記ＷＤＣと関連付けられる前記１つまたは複数のＰＦの前記インジケーションを送ることを行うように前記１つまたは複数のプロセッサによって実行可能である、
請求項７５に記載のＷＤＣ。
【請求項７７】
前記少なくとも１つのモジュールは、
前記ＷＤから、前記ＷＤＣと関連付けられる前記１つまたは複数のＰＦに関する情報に対する要求を受信することを行うように前記１つまたは複数のプロセッサによってさらに実行可能である、
請求項７５に記載のＷＤＣ。
【請求項７８】
前記少なくとも１つのモジュールは、少なくとも、
サービス名値、自動受入れ値、サービス情報値、およびサービスステータス値というパラメータの１つまたは複数に基づいて、ＡｄｖｅｒｔｉｓｅＳｅｒｖｉｃｅ方法を実行すること
によって、前記ＷＤＣと関連付けられる前記１つまたは複数のＰＦに関する前記情報に対する前記要求を、前記ＷＤから受信することを行うように前記１つまたは複数のプロセッサによって実行可能であり、前記サービス情報値は、前記ＷＤＣと関連付けられる前記１つまたは複数のＰＦの前記インジケーションを含む、
請求項７７に記載のＷＤＣ。
【請求項７９】
前記ＷＤＣと関連付けられる前記１つまたは複数のＰＦの前記インジケーションが前記ＷＤによって探されている１つまたは複数のＰＦを示すと決定したことに応答して、前記少なくとも１つのモジュールは、前記ドッキングセッションを確立することを行うように前記１つまたは複数のプロセッサによってさらに実行可能である、
請求項７５に記載のＷＤＣ。
【請求項８０】
前記少なくとも１つのモジュールは、少なくとも、
前記ＷＤＣと前記ＷＤとの間のドッキング接続セットアップ交換を実行することと、
前記ＷＤＣと前記ＷＤとの間のドッキングＡＳＰ（アプリケーションサービスプラットフォーム）セッションセットアップを実行することと
によって、前記ドッキングセッションを確立することを行うように前記１つまたは複数のプロセッサによって実行可能である、
請求項７２に記載のＷＤＣ。
【請求項８１】
前記少なくとも１つのモジュールは、少なくとも、
前記ＷＤＣとＷＤの両方を含むピアツーピア（Ｐ２Ｐ）グループを形成すること
によって、前記ドッキングセッションを確立することを行うように前記１つまたは複数のプロセッサによって実行可能である、
請求項７２に記載のＷＤＣ。
【請求項８２】
前記少なくとも１つのモジュールは、少なくとも、
セッションＭＡＣ値、セッションＩＤ値、および確認済値というパラメータの１つまたは複数に基づいて、ＣｏｎｆｉｒｍＳｅｓｓｉｏｎ方法を実行すること
によって、前記ドッキングセッションを確立することを行うように前記１つまたは複数のプロセッサによって実行可能である、
請求項７２に記載のＷＤＣ。
【請求項８３】
前記少なくとも１つのモジュールは、少なくとも、
前記ＷＤと、ドッキング構成および制御プロトコル通信を交換すること
によって、前記ＷＤＣと関連付けられる前記１つまたは複数のＰＦの前記少なくとも１つのＰＦを選択することを行うように前記１つまたは複数のプロセッサによって実行可能である、
請求項７２に記載のＷＤＣ。
【請求項８４】
前記少なくとも１つのモジュールは、
前記ＷＤから、および前記ドッキングセッションの動作の間に、前記ＷＤＣと関連付けられる前記１つまたは複数のＰＦに関する情報についての問合せを受信することを行うように前記１つまたは複数のプロセッサによってさらに実行可能である、
請求項７２に記載のＷＤＣ。
【請求項８５】
前記ＷＤが前記メッセージにおいて前記少なくとも１つのＰＦを個別に特定することによって、または前記少なくとも１つのＰＦを含むＰＦのデフォルトのセットを選択することによって、ＰＦを選択しているかどうかを示す前記メッセージは、前記ＷＤＣと関連付けられる前記１つまたは複数のＰＦの１つまたは複数の探されているＰＦにアクセスするための要求をさらに含み、前記少なくとも１つのモジュールは、少なくとも、
前記ＷＤが前記１つまたは複数の探されているＰＦにアクセスするための前記要求を前記が受け入れるかどうかを決定することと、
前記ＷＤに、前記ＷＤが前記１つまたは複数の探されているＰＦにアクセスするための前記要求を前記ＷＤＣが受け入れるかどうかを示すメッセージを送ることと、
前記要求を受け入れると決定したことに応答して、前記ＷＤに、前記１つまたは複数の探されているＰＦへの前記アクセスを提供することと
によって、前記ＷＤＣと関連付けられる前記１つまたは複数のＰＦの前記少なくとも１つのＰＦを選択することを行うように前記１つまたは複数のプロセッサによってさらに実行可能であり、前記１つまたは複数の探されているＰＦは、前記少なくとも１つのＰＦを含む、
請求項７２に記載のＷＤＣ。
【請求項８６】
前記要求は、前記１つまたは複数の探されているＰＦを個々に特定する、
請求項８５に記載のＷＤＣ。
【請求項８７】
前記ＷＤＣと関連付けられる前記１つまたは複数のＰＦの、ＰＦのデフォルトセットは、前記１つまたは複数の探されているＰＦを含み、前記要求は、前記１つまたは複数の探されているＰＦを個々に特定しない、
請求項８５に記載のＷＤＣ。
【請求項８８】
前記少なくとも１つのモジュールは、
前記ＷＤＣの前記対応するＰＦサービスによって、前記ＷＤの前記対応するＰＦサービスに、および前記それぞれのセッションを介して入力データを送ることと、
前記ＷＤＣの前記対応するＰＦサービスによって、前記ＷＤの前記対応するＰＦサービスから、および前記それぞれのセッションを介して出力データを受信することと
のうちの１つまたは複数を行うように前記１つまたは複数のプロセッサによってさらに実行可能である、
請求項７２に記載のＷＤＣ。
【請求項８９】
前記少なくとも１つのモジュールは、
前記ＷＤに、および第１の時間において、前記ＷＤＣと関連付けられる前記１つまたは複数のＰＦに関する情報を含むメッセージを送ることと、
前記ＷＤに、および第２のより後の時間において、前記ＷＤＣと関連付けられる前記１つまたは複数のＰＦに関する前記情報が変化したことを示す第２のメッセージを送ることと
を行うように、前記１つまたは複数のプロセッサによってさらに実行可能である、
請求項７２に記載のＷＤＣ。
【請求項９０】
前記少なくとも１つのモジュールは、
前記ＷＤＣと関連付けられる前記１つまたは複数のＰＦの前記少なくとも１つのＰＦを選択解除することを行うように前記１つまたは複数のプロセッサによってさらに実行可能であり、前記少なくとも１つのモジュールは、少なくとも、
前記ＷＤから、前記ＷＤが前記ＷＤＣと関連付けられる前記１つまたは複数のＰＦの前記少なくとも１つのＰＦを選択解除しているという通知を受信することと、
前記ＷＤＣの対応するＰＦサービスと前記ＷＤの対応するＰＦサービスとの間の対応するセッションを閉じることと
によって、前記少なくとも１つのＰＦを選択解除することを行うように前記１つまたは複数のプロセッサによって実行可能である、
請求項７２に記載のＷＤＣ。
【請求項９１】
ワイヤレスドッキングセンター（ＷＤＣ）であって、
前記ＷＤＣと関連付けられる１つまたは複数の周辺機能（ＰＦ）を決定するための手段と、
前記ＷＤＣとワイヤレスドッキー（ＷＤ）との間の直接のワイヤレス接続を介してドッキングセッションを確立するための手段と、
前記ＷＤＣと関連付けられる前記１つまたは複数のＰＦの少なくとも１つのＰＦを選択するための手段と、前記少なくとも１つのＰＦを選択するための手段は、前記ＷＤから、前記ＷＤがメッセージにおいて前記少なくとも１つのＰＦを個別に特定することによって、または前記メッセージにおいて前記少なくとも１つのＰＦを個別に特定することなく前記少なくとも１つのＰＦを含むＰＦのデフォルトのセットを選択することによって、ＰＦを選択しているかどうかを示す前記メッセージを受信するための手段を含む、
前記ＷＤに、前記ＷＤＣと関連付けられる前記１つまたは複数のＰＦの前記少なくとも１つのＰＦへのアクセスを提供するための手段と、前記少なくとも１つのＰＦへのアクセスを提供するための手段は、前記ＷＤＣと関連付けられる前記１つまたは複数のＰＦの前記少なくとも１つのＰＦのそれぞれのＰＦに対して、前記ＷＣＤの対応するＰＦサービスと前記ＷＤの対応するＰＦサービスとの間のそれぞれのセッションを確立するための手段を備える、
を備える、ＷＤＣ。
【請求項９２】
命令が実行されると、ワイヤレスドッキングセンター（ＷＤＣ）の１つまたは複数のプロセッサに、
前記ＷＤＣと関連付けられる１つまたは複数の周辺機能（ＰＦ）を決定することと、
前記ＷＤＣとワイヤレスドッキー（ＷＤ）との間の直接のワイヤレス接続を介してドッキングセッションを確立することと、
前記ＷＤＣと関連付けられる前記１つまたは複数のＰＦの少なくとも１つのＰＦを選択することと、前記１つまたは複数のプロセッサに前記少なくとも１つのＰＦを選択することを行わせる前記命令は、前記１つまたは複数のプロセッサに、前記ＷＤから、前記ＷＤがメッセージにおいて前記少なくとも１つのＰＦを個別に特定することによって、または前記メッセージにおいて前記少なくとも１つのＰＦを個別に特定することなく前記少なくとも１つのＰＦを含むＰＦのデフォルトのセットを選択することによって、ＰＦを選択しているかどうかを示す前記メッセージを受信することを行わせる命令を含む、
前記ＷＤへ、前記ＷＤＣと関連付けられる前記１つまたは複数のＰＦの前記少なくとも１つのＰＦへのアクセスを提供することと、前記１つまたは複数のプロセッサに前記少なくとも１つのＰＦへのアクセスを提供することを行わせる前記命令は、前記１つまたは複数のプロセッサに、前記ＷＤＣと関連付けられる前記１つまたは複数のＰＦの前記少なくとも１つのＰＦのそれぞれのＰＦに対して、前記ＷＣＤの対応するＰＦサービスと前記ＷＤの対応するＰＦサービスとの間のそれぞれのセッションを確立することを行わせる命令を含む、
を行わせる、前記命令を記憶する、非一時的コンピュータ可読記憶媒体。